(57)【要約】【課題】ノイズデータを付加することなく遊技に係る楽曲や音声をヘッドホンへと出力することができ、且つ、録音機器を接続することによる録音の防止をも可能とした遊技機を提供する。【解決手段】サブ制御装置４０が、ジャック７３へのプラグの差し込みを検知すると、接続されたデバイスへ判定用音源データを出力するとともに、その際の出力電圧の電圧値情報にもとづいてデバイスのインピーダンスを算出する。そして、インピーダンスが所定の判定値未満であると、ジャック７３へスピーカ１４から報音する効果音や楽曲、音声等の音源データを出力する一方、インピーダンスが所定の判定値以上であると、ジャック７３への音源データの出力回路７６をオフするようにした。【選択図】図５
2014136068.tif 000002
【特許請求の範囲】
【請求項１】
スピーカと、前記スピーカから報音する種々の音源データを記憶した記憶手段と、前記スピーカでの報音動作を制御する報音制御装置とを備えているとともに、プラグを差し込み可能なジャックを備えており、前記ジャックにヘッドホンのプラグが差し込まれると、前記報音制御装置が前記ジャックへ前記音源データを出力する遊技機であって、
前記ジャックに差し込まれたプラグがどのようなデバイスのプラグであるのかを判定するための判定用音源データを記憶した判定用記憶手段と、前記ジャックへの音源データの出力電圧を測定する電圧測定手段と、前記ジャックにプラグが差し込まれると、前記ジャックへ前記判定用音源データを出力するとともに、その際に前記電圧測定手段で測定された出力電圧にもとづいて、差し込まれたプラグがヘッドホンのプラグであるか否かを判定する判定手段と、その判定結果にもとづいて前記ジャックへの前記音源データの出力の有無を制御する制御手段とを有する判定制御装置を設けたことを特徴とする遊技機。
【請求項２】
スピーカと、前記スピーカから報音する種々の音源データを記憶した記憶手段と、前記スピーカでの報音動作を制御する報音制御装置とを備えているとともに、プラグを差し込み可能なジャックを備えており、前記ジャックにヘッドホンのプラグが差し込まれると、前記報音制御装置が前記ジャックへ前記音源データを出力する遊技機であって、
前記ジャックに差し込まれたプラグがどのようなデバイスのプラグであるのかを判定するための判定用音源データ及びエラーを報知するためのエラー用音源データを記憶した判定用記憶手段と、前記ジャックへの音源データの出力電圧を測定する電圧測定手段と、前記ジャックにプラグが差し込まれると、前記ジャックへ前記判定用音源データを出力するとともに、その際に前記電圧測定手段で測定された出力電圧にもとづいて、差し込まれたプラグがヘッドホンのプラグであるか否かを判定する判定手段と、その判定結果にもとづいて前記ジャックへ前記音源データと前記エラー用音源データとの何れか一方を出力する制御手段とを有する判定制御装置を設けたことを特徴とする遊技機。
【発明の詳細な説明】
【技術分野】
【０００１】
本発明は、たとえばパチンコ機やスロットマシーン等といった遊技機に関するものである。
【背景技術】
【０００２】
従来、遊技機の一実施形態であるパチンコ機では、ヘッドホンのプラグを差し込むためのジャックを備えており、遊技に係る楽曲や音声をスピーカのみならずヘッドホンからも出力可能としたものが考案されている。しかしながら、ジャックにヘッドホンではなく録音機器が接続されると、遊技に係る楽曲や音声が許可無く録音されてしまうという問題がある。そこで、そのような録音を防止すべく、たとえば特許文献１に記載の遊技機では、遊技に係る楽曲や音声の音源データをそのままジャックへ出力するのではなく、その音源データに所定のノイズデータを重畳・付加してヘッドホン用音データを作成し、該ヘッドホン用音データをジャックへ出力するという構成を採用している。
【先行技術文献】
【特許文献】
【０００３】
【特許文献１】特開２００８−３０２０４２号公報
【発明の概要】
【発明が解決しようとする課題】
【０００４】
しかしながら、上記特許文献１に記載の遊技機では、ヘッドホンを接続したとしても楽曲や音声にノイズが混じってしまい、録音する意図のない一般の遊技者に不快感を抱かせてしまうという問題がある。
【０００５】
そこで、本発明は、上記問題に鑑みなされたものであって、ノイズデータを付加することなく遊技に係る楽曲や音声をヘッドホンへと出力することができ、且つ、録音機器を接続することによる録音の防止をも可能とした遊技機を提供しようとするものである。
【課題を解決するための手段】
【０００６】
上記目的を達成するために、本発明のうち請求項１に記載の発明は、スピーカと、前記スピーカから報音する種々の音源データを記憶した記憶手段と、前記スピーカでの報音動作を制御する報音制御装置とを備えているとともに、プラグを差し込み可能なジャックを備えており、前記ジャックにヘッドホンのプラグが差し込まれると、前記報音制御装置が前記ジャックへ前記音源データを出力する遊技機であって、前記ジャックに差し込まれたプラグがどのようなデバイスのプラグであるのかを判定するための判定用音源データを記憶した判定用記憶手段と、前記ジャックへの音源データの出力電圧を測定する電圧測定手段と、前記ジャックにプラグが差し込まれると、前記ジャックへ前記判定用音源データを出力するとともに、その際に前記電圧測定手段で測定された出力電圧にもとづいて、差し込まれたプラグがヘッドホンのプラグであるか否かを判定する判定手段と、その判定結果にもとづいて前記ジャックへの前記音源データの出力の有無を制御する制御手段とを有する判定制御装置を設けたことを特徴とする。
また、上記目的を達成するための、本発明のうち請求項２に記載の発明は、スピーカと、前記スピーカから報音する種々の音源データを記憶した記憶手段と、前記スピーカでの報音動作を制御する報音制御装置とを備えているとともに、プラグを差し込み可能なジャックを備えており、前記ジャックにヘッドホンのプラグが差し込まれると、前記報音制御装置が前記ジャックへ前記音源データを出力する遊技機であって、前記ジャックに差し込まれたプラグがどのようなデバイスのプラグであるのかを判定するための判定用音源データ及びエラーを報知するためのエラー用音源データを記憶した判定用記憶手段と、前記ジャックへの音源データの出力電圧を測定する電圧測定手段と、前記ジャックにプラグが差し込まれると、前記ジャックへ前記判定用音源データを出力するとともに、その際に前記電圧測定手段で測定された出力電圧にもとづいて、差し込まれたプラグがヘッドホンのプラグであるか否かを判定する判定手段と、その判定結果にもとづいて前記ジャックへ前記音源データと前記エラー用音源データとの何れか一方を出力する制御手段とを有する判定制御装置を設けたことを特徴とする。
【発明の効果】
【０００７】
請求項１に記載の発明によれば、ジャックに差し込まれたプラグがどのようなデバイスのプラグであるのかを判定するための判定用音源データを記憶した判定用記憶手段と、ジャックへの音源データの出力電圧を測定する電圧測定手段と、ジャックにプラグが差し込まれると、ジャックへ判定用音源データを出力するとともに、その際に電圧測定手段で測定された出力電圧にもとづいて、差し込まれたプラグがヘッドホンのプラグであるか否かを判定する判定手段と、その判定結果にもとづいてジャックへの音源データの出力の有無を制御する制御手段とを有する判定制御装置を設けている。また、請求項２に記載の発明によれば、ジャックに差し込まれたプラグがどのようなデバイスのプラグであるのかを判定するための判定用音源データ及びエラーを報知するためのエラー用音源データを記憶した判定用記憶手段と、ジャックへの音源データの出力電圧を測定する電圧測定手段と、ジャックにプラグが差し込まれると、ジャックへ判定用音源データを出力するとともに、その際に電圧測定手段で測定された出力電圧にもとづいて、差し込まれたプラグがヘッドホンのプラグであるか否かを判定する判定手段と、その判定結果にもとづいてジャックへ音源データとエラー用音源データとの何れか一方を出力する制御手段とを有する判定制御装置を設けている。
したがって、ヘッドホン以外のデバイスが接続されている場合には、ジャックへ音源データを出力させなかったり（請求項１）、音源データではなくエラー用音源データを出力させたり（請求項２）等することで、従来の如くノイズデータ等を付加することなく録音機器による録音を防止することができ、録音する意図のない一般の遊技者に不快感を抱かせるようなことがない。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】パチンコ機の制御機構を示したブロック図である。
【図５】録音防止に係る機構を示したブロック図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を嵌め込み設置してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６の左部における両レール２３、２４間が遊技球を遊技領域１６内へ打ち込むための発射通路１３とされている。また、遊技領域１６の略中央には、「０」〜「９」の数字からなる装飾図柄を表示するための図柄表示部６が設けられている。さらに、図柄表示部６を囲むように種々の電動役物を備えたセンター部材２６が遊技盤２に設置されており、該センター部材２６の下部で図柄表示部６の下方となる位置には、保留情報の数を表示する保留表示部２０、２０・・が設けられている。
【００１２】
また、センター部材２６の左方には、遊技球が通過可能なゲート部材６０が設けられている。さらに、遊技領域１６におけるセンター部材２６の下方には、遊技球が入賞可能な始動入賞口１９と、一対の翼片を開閉動作可能に備えたチューリップ式電動役物１７と、開閉可能な扉部材を有する大入賞装置１８とが設置されている。加えて、遊技領域１６外となる遊技盤２の右下部には、特別図柄を表示するための７セグメント表示器からなる特別図柄表示部６１が設けられている。なお、特別図柄表示部６１は、前扉４を閉塞したとしても、前扉４の前方にいる遊技者から視認可能な位置に設けられている。
【００１３】
また、機枠３の前面側であって上記遊技盤２の下方には、遊技球を発射装置１０へ供給するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させるためのハンドル９が回動操作可能に設置されている。加えて、供給皿７の前方には、遊技者が任意に押し込み操作可能な押しボタン２５が設けられている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂「大当たり抽選」等）を実行するためのメイン制御装置３０（図４に示す）、図柄表示部６における表示動作等を制御する表示制御装置５０（図４に示す）、ランプ部材１５の点灯／点滅動作等を制御する発光制御装置５１（図４に示す）、スピーカ１４からの報音動作を制御する音制御装置５２（図４に示す）、及び表示制御装置５０や音制御装置５２等の動作を統合的に制御するサブ制御装置４０（図４に示す）等が設置されている。尚、２２は、パチンコ機１をトランスに接続するためのプラグであり、２７は、アースである。
【００１５】
次に、パチンコ機１の制御機構について、図４をもとに説明する。図４は、パチンコ機１の制御機構を示したブロック図である。
メイン制御装置３０には、乱数の取得といった所謂「大当たり抽選」の実行とともに下記部材の動作を制御するメインＣＰＵ３２、ＲＯＭやＲＡＭ等といった記憶手段３３、タイマ３４、及びインターフェイス３５等が搭載されたメイン制御基板３１が内蔵されている。そして、該メイン制御基板３１は、インターフェイス３５を介して、始動入賞口１９やチューリップ式電動役物１７、大入賞装置１８、払出制御装置２８、電源装置２９、及び特別図柄表示部６１等と接続されている。また、メイン制御基板３１は、サブ制御装置４０内に内蔵されたサブ統合基板４１とも電気的に接続されている。
【００１６】
サブ制御装置４０には、サブ統合ＣＰＵ４２、記憶手段４３、タイマ４４、及びインターフェイス４５等が搭載されたサブ統合基板４１が内蔵されている。該サブ統合基板４１は、インターフェイス４５を介してメイン制御基板３１と電気的に接続されているとともに、表示制御装置５０、発光制御装置５１、及び音制御装置５２と電気的に接続されており、サブ統合ＣＰＵ４２は、後述するようにメイン制御基板３１から大当たり抽選に係る信号を受信すると、その信号の内容に応じて各制御装置を制御し、スピーカ１４やランプ部材１５の動作や、図柄表示部６における装飾図柄の表示動作を制御するようになっている。
【００１７】
また、記憶手段４３には、図柄表示部６に表示する装飾図柄を記憶する図柄記憶領域（図示せず）と、該装飾図柄の詳細な変動表示態様やキャラクターの動画を用いたキャラクター演出等からなる複数の詳細変動パターン（図柄変動パターン）を記憶した図柄変動パターン記憶領域４６とが設けられている。さらに、記憶手段４３には、音源データ記憶領域４７が設けられており、図柄表示部６における表示態様等に対応してスピーカ１４、１４から報音する種々の効果音や楽曲、音声等の音源データが記憶されている。
【００１８】
以上のようなパチンコ機１では、遊技者によってハンドル９が回動操作されると、発射装置１０が作動して遊技球が遊技領域１６内へ打ち込まれる。そして、遊技領域１６内を流下する遊技球が始動入賞口１９やチューリップ式電動役物１７へ入賞すると、メイン制御装置３０にて「大当たり抽選」を行う。該「大当たり抽選」は、乱数から１つの数値を取得する態様で行われ、取得した数値に応じて、「大当たり」であるか「外れ」であるかを決定するとともに、図柄の変動時間を決定する。そして、「大当たり抽選」の結果、「大当たり」である場合、メイン制御装置３０は、決定した変動時間だけ特別図柄表示部６１にて特別図柄を変動表示させるとともに、サブ制御装置４０へ各種コマンドを送信する。一方、サブ制御装置４０は、受信したコマンドを読み取り、メイン制御装置３０で決定された変動時間に対応する詳細変動パターンを読み出し、その詳細変動パターンにしたがい図柄表示部６にて装飾図柄を変動表示させる。その後、両制御装置３０、４０は、変動時間の経過に伴い、特別図柄表示部６１及び図柄表示部６に夫々所定の「大当たり図柄」を確定表示させる（たとえば、図柄表示部６には「７、７、７」と確定表示させる）。さらに確定表示後、メイン制御装置３０は、大入賞装置１８の扉部材を所定回数にわたって断続的に開成させるといった所謂「大当たり状態」を生起させる。一方、「大当たり抽選」の結果、「外れ」である場合、両制御装置３０、４０は、決定した変動時間だけ特別図柄表示部６１及び図柄表示部６にて夫々図柄を変動表示させた後、両図柄表示部６１、６に夫々所定の「外れ図柄」を確定表示させる（たとえば、図柄表示部６には「１、２、１」と確定表示させる）。また、サブ制御装置４０は、遊技状態（上記「大当たり状態」であるか否か）や図柄表示部６での装飾図柄の変動／確定表示状況等といったパチンコ機１における遊技状況に応じて、対応する効果音や楽曲、音声等を音源データ記憶領域４７から読み出し、スピーカ１４、１４から報音させる。
【００１９】
（音源データの録音防止に係る機構の説明）
ここで、本発明の要部となる音源データの録音防止に係る構成について詳細に説明する。図５は、録音防止に係る機構を示したブロック図である。
パチンコ機１の貯留皿８の左側には、イヤホン（ヘッドホン）７１のプラグ７２を差し込み可能なジャック７３が設けられている。該ジャック７３は、サブ制御装置４０と電気的に接続されており、ジャック７３に何らかのデバイス（たとえばイヤホン７１や録音機器等）のプラグが差し込まれると、当該プラグの差し込みをサブ制御装置４０で検知可能となっている。また、ジャック７３は、音制御装置５２からジャック７３へ音源データを出力するための出力回路７６、ジャック７３に差し込まれたプラグがどういったデバイスのプラグであるのかを判定する際に使用する判定回路７４、及び判定回路７４に切り替えたり、出力回路７６をオン／オフしたりするためのスイッチ７５を備えた電子回路によって、音制御装置５２とも電気的に接続されている。さらに、ジャック７３へ音源データを出力する際の出力電圧を測定する電圧測定装置５６が設けられており、該電圧測定装置５６で測定された出力電圧が電圧値情報としてサブ制御装置４０へ入力されるようになっている。
【００２０】
上述したような録音防止機構を備えたパチンコ機１では、ジャック７３に何も接続されていない状態であると、図５に示すように、ジャック７３と音制御装置５２とを接続する電子回路をオフとしている。ここで、ジャック７３へ何らかのデバイスのプラグが差し込まれると、サブ統合ＣＰＵ４２が接続検知手段５３として機能し、当該プラグの差し込みを検知する。また、サブ統合ＣＰＵ４２は切替制御手段５５として機能し、スイッチ７５を動作させてジャック７３と音制御装置５２とを判定回路７４で接続する。さらに、サブ統合ＣＰＵ４２は判定手段５４として機能し、判定回路７４を介して判定用音源データ（たとえば１秒間程度のビープ音からなる音源データ）をジャック７３へ出力するとともに、電圧測定装置５６を介してその際の電圧値情報を取得し、接続されたデバイスのインピーダンスを求め、当該インピーダンスが所定の判定値（たとえば１ｋΩ）以上であるか否かを判定する。そして、インピーダンスが判定値未満であると、ジャック７３に差し込まれたプラグはイヤホン７１のプラグ７２であると判定する。すなわち一般的なイヤホン７１は、インピーダンスが１０Ω〜１００Ω程度であるため、インピーダンスが判定値未満であると、イヤホン７１が接続されたと判定するのである。したがって、サブ統合ＣＰＵ４２が再び切替制御手段５５として機能し、スイッチ７５を動作させてジャック７３と音制御装置５２とを出力回路７６で接続するとともに、スピーカ１４から報音する効果音や楽曲、音声等を、スピーカ１４と同じタイミングでジャック７３、ひいてはイヤホン７１へ出力する。その後、サブ統合ＣＰＵ４２は、プラグ７２の抜き取りを検知すると、ジャック７３と音制御装置５２とを接続する電子回路をオフとする。一方、インピーダンスが判定値以上であると、ジャック７３に差し込まれたプラグがイヤホン７１ではないと判定する。すなわち一般的な録音機器では、インピーダンスが数ｋΩ〜数十ｋΩにもなるため、インピーダンスが判定値以上であると、イヤホン７１ではない録音機器等の他のデバイスが接続されたと判断するのである。したがって、サブ統合ＣＰＵ４２が再び切替制御手段５５として機能し、スイッチ７５を動作させてジャック７３と音制御装置５２とを接続する電子回路をオフとする。なお、判定用音源データも、他の音源データ同様、サブ制御装置４０の記憶手段４３における音源データ記憶領域４７に記憶されている。
【００２１】
（本実施形態のパチンコ機による効果）
以上のような構成を有するパチンコ機１によれば、サブ制御装置４０が、ジャック７３へのプラグの差し込みを検知すると、接続されたデバイスへ判定用音源データを出力するとともに、その際の出力電圧の電圧値情報にもとづいてデバイスのインピーダンスを算出する。そして、インピーダンスが所定の判定値未満であると、ジャック７３へスピーカ１４から報音する効果音や楽曲、音声等の音源データを出力する一方、インピーダンスが所定の判定値以上であると、ジャック７３への音源データの出力回路７６をオフする。そのため、従来の如くノイズデータ等を付加することなく、録音機器による録音を防止することができる。したがって、録音する意図のない一般の遊技者に不快感を抱かせるようなことがない。
【００２２】
（本発明の変更例について）
なお、本発明の遊技機に係る構成は、上記実施形態に何ら限定されるものではなく、遊技機全体の構成は勿論、録音防止に係る構成についても、本発明の趣旨を逸脱しない範囲で必要に応じて適宜変更可能である。
【００２３】
たとえば、上記実施形態では、ジャック７３への接続検知やデバイスの判定、スイッチ７５による回路の切り替え動作等をサブ制御装置４０が制御するように構成しているが、録音防止に係る制御のみを行うような判定用記憶手段や判定手段等を備えた専用の制御装置を別途設けたり、サブ制御装置４０以外の他の制御装置により録音防止に係る制御を行うように構成することも当然可能である。
また、上記実施形態では、録音機器等のヘッドホン以外のデバイスが接続されていると判定すると、スイッチ７５によりジャック７３への出力回路を機械的にオフするように構成しているが、出力回路を機械的にオフするのではなく、ジャック７３へ音源データを出力しないといった制御をサブ制御装置４０が実行するように構成することも可能である。
さらに、スイッチ７５によりジャック７３への出力回路を機械的にオフする等するのではなく、たとえばサブ制御装置４０にエラーを報知するためのエラー用音源データを記憶しておき、録音機器等のヘッドホン以外のデバイスが接続されていると判定すると、音源データではなくエラー用音源データを出力するように構成することも可能である。尚、エラー用音源データとして、遊技機に何らかの異常が生じた際（たとえば前扉が開放している等）にスピーカ１４、１４から報音するエラー音を採用しても何ら問題はない。
【００２４】
さらにまた、ジャック７３へスピーカ１４から報音する効果音や楽曲、音声等の音源データを出力するにあたり、その全てを出力するのではなく、たとえば楽曲のみ等といったように音源データの一部を出力するように構成してもよいし、出力する音源データをスピーカ１４からの報音と同期させなくともよい。
またさらに、上記実施形態では、判定用音源データを他の音源データとは別個に予め記憶させているが、接続を検知した際にスピーカ１４から報音している音源データの一部を判定用音源データとして作成するように構成することも可能である。
加えて、本発明は、パチンコ機に限らず、スロットマシーン等の他の遊技機であっても何ら問題はない。
【符号の説明】
【００２５】
１・・パチンコ機、１４・・スピーカ、３０・・メイン制御装置、４０・・サブ制御装置（報音制御装置、判定制御装置）、４２・・サブ統合ＣＰＵ、４３・・記憶手段（記憶手段、判定用記憶手段）、４７・・音源データ記憶領域、５３・・接続検知手段、５４・・判定手段、５５・・切替制御手段（制御手段）、５６・・電圧測定装置（電圧測定手段）、７１・・イヤホン（ヘッドホン）、７２・・プラグ、７３・・ジャック、７４・・判定回路、７５・・スイッチ、７６・・出力回路。
【図１】
2014136068.tif 000003
【図２】
2014136068.tif 000004
【図３】
2014136068.tif 000005
【図４】
2014136068.tif 000006
【図５】
2014136068.tif 000007